(57)【要約】【課題】顧客が化粧品を試す際に用いられる種々の化粧品が配列されている化粧品テスターカウンタにおいて、顧客が試す化粧品の種類、回数、時間、日時等をホストコンピュータに記録し、それらを集計して、商品開発、在庫管理等の基礎データとする。【解決手段】センサ機能を有するＩＣタグをテスターカウンタに付けて、顧客がテスターカウンタに触れた回数、選択した化粧品を使用している時間、その日時の情報をパソコンに記録させ、インターネットを通してホストコンピュータに記録し集計する化粧品基礎データ収録システムとするものである。【選択図】図２
2011227691.tif 000002
【特許請求の範囲】
【請求項１】
化粧品を顧客が試すため、種々の化粧品テスターが配置されたテスターカウンタにおいて、化粧品テスターの中から顧客が選択し、使用した化粧品を特定し、その日時と使用時間を記録し、商品開発、在庫管理の基礎データとする化粧品基礎データ収録システム。
【請求項２】
ＩＣタグやセンサを化粧品テスターに付けて、顧客が選択した化粧品テスター及び選択回数、試用していた時間、試用した日時の情報をパソコンに記録させ、集計させる第１発明の化粧品基礎データ収録システム。
【請求項３】
センサ機能を有するＩＣタグを化粧品テスターに付けて、顧客が選択した化粧品テスターを特定し、選択した回数、選択した化粧品を試用している時間、その日時の情報をパソコンに記録させ、インターネットを通してホストコンピュータに記録し集計する第１発明の化粧品基礎データ収録システム。
【発明の詳細な説明】
【技術分野】
【０００１】
本発明は、顧客が化粧品を試す際に用いられる種々の化粧品テスターが配列されている化粧品テスターカウンタにおいて、顧客が試す化粧品の種類、回数、時間、日時等をコンピュータに記録し、それらを集計して、商品開発、在庫管理等の基礎データとするシステムに関する。
【背景技術】
【０００２】
化粧品を大別すると肌の手入れに使う洗顔用クリームや化粧水などの基礎化粧品とファンデーションや口紅などのメイクアップ用化粧品に分けられる。
化粧品は実際に使ってみないと分からないと思う顧客が多いため、化粧品テスターが用意されている場合が多い。化粧品テスターは、化粧品陳列台(特許文献１)や化粧品テスターユニット内に配置され試供されている。デパート等の化粧品のセルフ販売所では、数多くの色の口紅やファンデーション等の化粧品テスターが容易され、その中から顧客は、好みに応じ選択して試している。この顧客の選択する化粧品の種類、回数、試す時間あるいは日時等は、あまり記録として残されていない。こうした記録を残し、その結果を集計すれば、顧客の好む化粧品の傾向が把握でき、将来の化粧品開発の基礎データとして使用できる。さらに、現在販売している商品であれば、顧客の求めている化粧品の種類が特定でき、在庫管理の資料として有用である。
【０００３】
そこで、顧客が化粧品を試す際に用いられる種々の化粧品が配列されている化粧品テスターに、センサを設け、顧客が試した化粧品の種類、回数、日時等を自動的に記録できれば、上記の目的を達成させることが可能である。
【０００４】
本発明は、上記の目的を達成するため、ＩＣタグやセンサをテスターカウンタに付けて、ＩＣタグやセンサからの情報をホストコンピュータに取り込み、集計し商品開発や在庫管理の等の基礎データとするものである。
【０００５】
本発明に関連する先行技術としては、常備薬の数量及び使用期限を検出して記憶する機能を有し、所定の管理データに基づいて不足或いは使用期限切れの常備薬の発注を自動的に行う常備薬管理販売システム(特許文献２)、商品にＲＦＩＤタグを取り付けて、店内の各所で設置されたゲートで読み取る盗難防止システム(特許文献３)等がある。
【先行技術文献】
【特許文献】
【０００６】
【特許文献１】特開２００８−２８４１１５号公報
【特許文献２】特開２００１−２６５９３４号公報
【特許文献３】特開２００８−２０３９７４号公報
【発明の概要】
【発明が解決しようとする課題】
【０００７】
本発明の解決しようとする問題点は、顧客が化粧品を試す際に用いられる種々の化粧品が配列されている化粧品テスターについて、顧客が試す化粧品の種類、回数、時間、日時等をホストコンピュータに記録し、これを統計処理して商品開発、在庫管理等の基礎データとするものである。
【課題を解決するための手段】
【０００８】
すなわち、第１発明は、化粧品を顧客が試すため、種々の化粧品テスターが配置されたテスターカウンタにおいて、化粧品テスターの中から顧客が選択し、使用した化粧品を特定し、その日時と使用時間を記録し、商品開発、在庫管理の基礎データとする化粧品基礎データ収録システムである。
【０００９】
化粧品テスターとは、試供する化粧品をいい、顧客が試す化粧品のサンプルである。テスターカウンタとは、化粧品テスターが配列され、これを選択し試用する台をいい、鏡等が付けられている。このテスターカウンタでの化粧品テスターの動き、すなわち、選択された化粧品テスターの種類、試用時間、その日時等を記録して商品開発、在庫管理の基礎データとするものである。
【００１０】
続いて、第２の発明は、ＩＣタグやセンサーを化粧品テスターに付けて、顧客が選択した化粧品テスター及び選択回数、試用していた時間、試用した日時の情報をパソコンに記録させ、集計させる第１発明の化粧品基礎データ収録システムである。
【００１１】
テスターカウンタ上の化粧品テスターの近くにはセンサが付けられている。化粧品テスターが、試用する顧客に取り上げられる回数、時間、日時等がＩＣタグやセンサを通しパソコンに記録される。化粧品テスターの近くとは、化粧品テスターの容器の下等、化粧品テスターの動きが認識できる場所にＩＣタグやセンサを付けるものである。センサには、光センサ、歪センサ等多くの種類があり、用途によりセンサは選択できる。センサからの情報は、ＩＣタグや化粧品陳列台や化粧品テスターユニットに備えられている情報伝達装置を通しパソコンに送られ記録し集計される。
【００１２】
続いて、第３の発明は、センサ機能を有するＩＣタグを化粧品テスターに付けて、顧客が選択した化粧品テスターを特定し、選択した回数、選択した化粧品を試用している時間、その日時の情報をパソコンに記録させ、インターネットを通してホストコンピュータに記録し集計する第１発明の化粧品基礎データ収録システムである。
【００１３】
第３発明は、第２発明のパソコンを端末機として使用し、インターネットを通じ、各パソコンの情報をホストコンピュータに記録し集計するものであり、多くの情報から、化粧品の基礎データとしての正確度を向上させるものである。
【発明の効果】
【００１４】
第１発明では、これまで情報として利用できなかった化粧品テスターカウンタでの顧客が試す化粧品の種類、回数、時間、日時等を記録・集計することができ、商品開発等の新しい基礎資料となりえる。第２発明では、こうした情報をパソコンに集計・解析することにより、商品開発や在庫管理の基本データとなるものである。第３発明では、かかる情報が記録された多くのパソコンをインターネットを通してホストコンピュータとつなぎ、多くの情報量から、より正確かつ精度がよい化粧品基礎データとなりえる。
【図面の簡単な説明】
【００１５】
【図１】図１は、センサ付きＩＣタグとパソコン等との連結図である。
【図２】図２は、センサ付きＩＣタグと化粧品テスターユニットの連結図である。
【発明を実施するための形態】
【００１６】
本発明の実施例を以下に示す。
【実施例】
【００１７】
図１は、センサ付きＩＣタグとパソコン及びホストコンピュータとの連結図である。センサ１３からの情報がＩＣタグ１、リーダ/ライタ２を通してパソコンに送られ、インターネットを通しホストコンピュータ４に集計される。
【００１８】
図２は、センサ１３付きＩＣタグ１のセンサ１３が化粧品テスターユニット５の各化粧品テスター５１の下に取り付けられている。化粧品テスター５１が顧客により取り上げられると、取り上げられた化粧品テスターの種類、取り上げられている時間がＩＣタグを通し、図１のようにパソコンに記録され、取り上げられた回数や日時等も記録される。こうしたパソコン内の情報がインターネットを通して、ホストコンピュータに記録され集計されて基本的なデータとなる。
【産業上の利用可能性】
【００１９】
商品開発や在庫管理において、係る基礎データは重要であり、こうした管理集計システムは、今後の参考となると思われる。
【符号の説明】
【００２０】
１ＩＣタグ  １１  ＩＣチップ  １２  ＩＣタグのアンテナ  １３  センサ
２ リーダ／ライタ  ２１  コントローラ  ２２  リーダ／ライタのアンテナ
３  端末機(パソコン)
４  ホストコンピュータ
５  化粧品テスターユニット  ５１  化粧品テスター
【図１】
2011227691.tif 000003
【図２】
2011227691.tif 000004